【手続補正書】
【提出日】平成26年10月17日(2014.10.17)
【手続補正１】
【補正対象書類名】特許請求の範囲
【補正対象項目名】全文
【補正方法】変更
【補正の内容】
【特許請求の範囲】
【請求項１】
第１ゲームおよび第２ゲームが実行されたことがある第１ユーザの端末装置から、当該第２ゲームで当該第１ユーザと所定の関係にあるユーザの端末装置に対して、当該第１ゲームを導入させるための招待処理を制御する制御部を備え、
前記制御部は、
前記第２ゲームから前記所定の関係にあるユーザを示す所定関係ユーザ情報を取得した場合に当該所定関係ユーザ情報に含まれるユーザのうち、前記第１ゲームへの招待候補となるユーザを抽出条件に基づいて抽出する抽出部と、
前記抽出部が抽出した前記第１ゲームへの招待候補となるユーザを示す招待候補ユーザ情報を、前記第１ユーザの端末装置に対して送信する招待候補ユーザ通知部と、
前記招待候補ユーザ情報に示されるユーザのうちの第２ユーザを前記第１ゲームへ招待申請する招待申請情報を前記第１ユーザの端末装置から受け取る招待申請受取部と、
前記第２ユーザの端末装置に対して、前記招待申請情報に基づく招待通知情報を送信する招待通知部と、
を備えることを特徴とする管理装置。
【請求項２】
前記抽出部は、
前記抽出条件として、前記第２ゲームから前記第１ゲームへの招待申請をしたことがあるユーザを抽出対象から除く
ことを特徴とする請求項１に記載の管理装置。
【請求項３】
前記抽出部は、
前記抽出条件として、前記第２ゲームから前記第１ゲームへの招待申請が成立している当該招待申請がされたことがあるユーザを抽出対象から除く
ことを特徴とする請求項１または２に記載の管理装置。
【請求項４】
前記抽出部は、
前記抽出条件として、前記第２ゲームから前記第１ゲームへの招待申請がされたことのあるユーザであって、当該招待申請が成立されていない招待申請中のユーザを抽出対象から除く
ことを特徴とする請求項１から３のいずれか一項に記載の管理装置。
【請求項５】
前記抽出部は、
前記抽出条件として、前記第２ゲームから前記第１ゲームへの招待申請を却下したことがあるユーザを抽出対象から除く
ことを特徴とする請求項１から４の何れか一項に記載の管理装置。
【請求項６】
前記第１ゲームおよび前記第２ゲームを含む複数のゲームのそれぞれに関する情報を管理するアプリケーション管理部、
を備え、
前記アプリケーション管理部は、当該情報に前記第１ゲームへのユーザの再招待を許可するか否かを示す情報を含んで管理し、
前記抽出部は、前記抽出条件として、前記アプリケーション管理部を参照して、前記第１ゲームへのユーザの再招待が許可されている場合、前記第１ゲームへの招待申請を却下したことがあるユーザを抽出対象に含める
ことを特徴とする請求項５に記載の管理装置。
【請求項７】
前記抽出部は、
前記抽出条件として、前記第２ゲームから前記第１ゲームへの招待申請を却下したユーザであっても、当該招待申請と異なる第１ユーザからの招待申請である場合には当該ユーザを抽出対象に含める
ことを特徴とする請求項５に記載の管理装置。
【請求項８】
前記抽出部は、
前記抽出条件として、前記第１ユーザからの招待申請を拒否する設定がされたユーザを抽出対象から除く
ことを特徴とする請求項１から７の何れか一項に記載の管理装置。
【請求項９】
前記第１ゲームおよび前記第２ゲームを含む複数のゲームのそれぞれに関する情報を管理するアプリケーション管理部、
を備え、
前記アプリケーション管理部は、
招待申請の禁止を設定する設定側ユーザと、当該設定側ユーザに対する招待申請が禁止される被設定側ユーザとを組みにした第１禁止情報を管理し、
前記抽出部は、
前記抽出条件として、前記アプリケーション管理部が管理している前記第１禁止情報のうち、前記第１ユーザを前記被設定側ユーザに設定している第１禁止情報がある場合には、当該第１禁止情報が示す設定側ユーザを、前記第１ユーザからの招待申請を拒否する設定がされたユーザとして抽出対象から除く
ことを特徴とする請求項８に記載の管理装置。
【請求項１０】
前記抽出部は、
前記抽出条件として、前記第１ゲームへの招待申請を拒否する設定がされたユーザを抽出対象から除く
ことを特徴とする請求項１から９の何れか一項に記載の管理装置。
【請求項１１】
前記第１ゲームおよび前記第２ゲームを含む複数のゲームのそれぞれに関する情報を管理するアプリケーション管理部、
を備え、
前記アプリケーション管理部は、
招待申請の禁止を設定する設定側ユーザと、当該設定側ユーザに対する招待申請が禁止される被設定側ゲームとを組みにした第２禁止情報を管理し、
前記抽出部は、
前記抽出条件として、前記アプリケーション管理部が管理している前記第２禁止情報のうち、前記第１ゲームを前記被設定側ゲームに設定している第２禁止情報がある場合には、当該第２禁止情報が示す設定側ユーザを、前記第１ゲームへの招待申請を拒否する設定がされたユーザとして抽出対象から除く
ことを特徴とする請求項１０に記載の管理装置。
【請求項１２】
前記招待通知情報に対応する前記第２ゲームから前記第１ゲームへの招待が成立したことを示す招待成立情報を、前記第２ユーザの端末装置又は前記第１ゲームに対応するサーバ装置から受け取る招待成立受取部、
を備えることを特徴とする請求項１から１１の何れか一項に記載の管理装置。
【請求項１３】
管理装置の管理方法であって、
第１ゲームおよび第２ゲームが実行されたことがある第１ユーザの端末装置から、当該第２ゲームで当該第１ユーザと所定の関係にあるユーザの端末装置に対して、当該第１ゲームを導入させるための招待処理を制御する制御ステップを有し、
前記制御ステップは、
前記第２ゲームから前記所定の関係にあるユーザを示す所定関係ユーザ情報を取得した場合に当該所定関係ユーザ情報に含まれるユーザのうち、前記第１ゲームへの招待候補となるユーザを抽出条件に基づいて抽出するステップと、
前記抽出した前記第１ゲームへの招待候補となるユーザを示す招待候補ユーザ情報を、前記第１ユーザの端末装置に対して送信するステップと、
前記招待候補ユーザ情報に示されるユーザのうちの第２ユーザを前記第１ゲームへ招待申請する招待申請情報を前記第１ユーザの端末装置から受け取るステップと、
前記第２ユーザの端末装置に対して、前記招待申請情報に基づく招待通知情報を送信するステップと、
を含むことを特徴とする管理方法。
【請求項１４】
第１ゲームおよび第２ゲームが実行されたことがある第１ユーザの端末装置から、当該第２ゲームで当該第１ユーザと所定の関係にあるユーザの端末装置に対して、当該第１ゲームを導入させるための招待処理を制御するコンピュータに、
前記第２ゲームから前記所定の関係にあるユーザを示す所定関係ユーザ情報を取得した場合に当該所定関係ユーザ情報に含まれるユーザのうち、前記第１ゲームへの招待候補となるユーザを抽出条件に基づいて抽出するステップと、
前記抽出した前記第１ゲームへの招待候補となるユーザを示す招待候補ユーザ情報を、前記第１ユーザの端末装置に対して送信するステップと、
前記招待候補ユーザ情報に示されるユーザのうちの第２ユーザを前記第１ゲームへ招待申請する招待申請情報を前記第１ユーザの端末装置から受け取るステップと、
前記第２ユーザの端末装置に対して、前記招待申請情報に基づく招待通知情報を送信するステップと、
を実行させるためのプログラム。
【手続補正２】
【補正対象書類名】明細書
【補正対象項目名】０００８
【補正方法】変更
【補正の内容】
【０００８】
上述した課題を解決するために、本発明の一態様は、第１ゲームおよび第２ゲームが実行されたことがある第１ユーザの端末装置（１００）から、当該第２ゲームで当該第１ユーザと所定の関係にあるユーザの端末装置に対して、当該第１ゲームを導入させるための招待処理を制御する制御部（２３０）を備え、前記制御部が、前記第２ゲームから前記所定の関係にあるユーザを示す所定関係ユーザ情報を取得した場合に当該所定関係ユーザ情報に含まれるユーザのうち、前記第１ゲームへの招待候補となるユーザを抽出条件に基づいて抽出する抽出部（２３９）と、前記抽出部が抽出した前記第１ゲームへの招待候補となるユーザを示す招待候補ユーザ情報を、前記第１ユーザの端末装置に対して送信する招待候補ユーザ通知部（２４０）と、前記招待候補ユーザ情報に示されるユーザのうちの第２ユーザを前記第１ゲームへ招待申請する招待申請情報を前記第１ユーザの端末装置から受け取る招待申請受取部（２３３）と、前記第２ユーザの端末装置に対して、前記招待申請情報に基づく招待通知情報を送信する招待通知部（２３６）と、を備えることを特徴とする管理装置（２００）である。
【手続補正３】
【補正対象書類名】明細書
【補正対象項目名】０００９
【補正方法】変更
【補正の内容】
【０００９】
また、本発明の一態様は、上記管理装置において、前記抽出部が、前記抽出条件として、前記第２ゲームから前記第１ゲームへの招待申請をしたことがあるユーザを抽出対象から除くことを特徴とする。
【手続補正４】
【補正対象書類名】明細書
【補正対象項目名】００１０
【補正方法】変更
【補正の内容】
【００１０】
また、本発明の一態様は、上記管理装置において、前記抽出部が、前記抽出条件として、前記第２ゲームから前記第１ゲームへの招待申請が成立している当該招待申請がされたことがあるユーザを抽出対象から除くことを特徴とする。
【手続補正５】
【補正対象書類名】明細書
【補正対象項目名】００１１
【補正方法】変更
【補正の内容】
【００１１】
また、本発明の一態様は、上記管理装置において、前記抽出部が、前記抽出条件として、前記第２ゲームから前記第１ゲームへの招待申請がされたことのあるユーザであって、当該招待申請が成立されていない招待申請中のユーザを抽出対象から除くことを特徴とする。
【手続補正６】
【補正対象書類名】明細書
【補正対象項目名】００１２
【補正方法】変更
【補正の内容】
【００１２】
また、本発明の一態様は、上記管理装置において、前記抽出部が、前記抽出条件として、前記第２ゲームから前記第１ゲームへの招待申請を却下したことがあるユーザを抽出対象から除くことを特徴とする。
【手続補正７】
【補正対象書類名】明細書
【補正対象項目名】００１３
【補正方法】変更
【補正の内容】
【００１３】
また、本発明の一態様は、上記管理装置が、前記第１ゲームおよび前記第２ゲームを含む複数のゲームのそれぞれに関する情報を管理するアプリケーション管理部（２３１）、を備え、前記アプリケーション管理部が、当該情報に前記第１ゲームへのユーザの再招待を許可するか否かを示す情報を含んで管理し、前記抽出部が、前記抽出条件として、前記アプリケーション管理部を参照して、前記第１ゲームへのユーザの再招待が許可されている場合、前記第１ゲームへの招待申請を却下したことがあるユーザを抽出対象に含めることを特徴とする。
【手続補正８】
【補正対象書類名】明細書
【補正対象項目名】００１４
【補正方法】変更
【補正の内容】
【００１４】
また、本発明の一態様は、上記管理装置において、前記抽出部が、前記抽出条件として、前記第２ゲームから前記第１ゲームへの招待申請を却下したユーザであっても、当該招待申請と異なる第１ユーザからの招待申請である場合には当該ユーザを抽出対象に含めることを特徴とする。
【手続補正９】
【補正対象書類名】明細書
【補正対象項目名】００１５
【補正方法】変更
【補正の内容】
【００１５】
また、本発明の一態様は、上記管理装置において、前記抽出部が、前記抽出条件として、前記第１ユーザからの招待申請を拒否する設定がされたユーザを抽出対象から除くことを特徴とする。
【手続補正１０】
【補正対象書類名】明細書
【補正対象項目名】００１６
【補正方法】変更
【補正の内容】
【００１６】
また、本発明の一態様は、上記管理装置が、前記第１ゲームおよび前記第２ゲームを含む複数のゲームのそれぞれに関する情報を管理するアプリケーション管理部、を備え、前記アプリケーション管理部が、招待申請の禁止を設定する設定側ユーザと、当該設定側ユーザに対する招待申請が禁止される被設定側ユーザとを組みにした第１禁止情報を管理し、前記抽出部が、前記抽出条件として、前記アプリケーション管理部が管理している前記第１禁止情報のうち、前記第１ユーザを前記被設定側ユーザに設定している第１禁止情報がある場合には、当該第１禁止情報が示す設定側ユーザを、前記第１ユーザからの招待申請を拒否する設定がされたユーザとして抽出対象から除くことを特徴とする。
【手続補正１１】
【補正対象書類名】明細書
【補正対象項目名】００１７
【補正方法】変更
【補正の内容】
【００１７】
また、本発明の一態様は、上記管理装置において、前記抽出部が、前記抽出条件として、前記第１ゲームへの招待申請を拒否する設定がされたユーザを抽出対象から除くことを特徴とする。
【手続補正１２】
【補正対象書類名】明細書
【補正対象項目名】００１８
【補正方法】変更
【補正の内容】
【００１８】
また、本発明の一態様は、上記管理装置において、前記第１ゲームおよび前記第２ゲームを含む複数のゲームのそれぞれに関する情報を管理するアプリケーション管理部、を備え、前記アプリケーション管理部が、招待申請の禁止を設定する設定側ユーザと、当該設定側ユーザに対する招待申請が禁止される被設定側ゲームとを組みにした第２禁止情報を管理し、前記抽出部が、前記抽出条件として、前記アプリケーション管理部が管理している前記第２禁止情報のうち、前記第１ゲームを前記被設定側ゲームに設定している第２禁止情報がある場合には、当該第２禁止情報が示す設定側ユーザを、前記第１ゲームへの招待申請を拒否する設定がされたユーザとして抽出対象から除くことを特徴とする。
【手続補正１３】
【補正対象書類名】明細書
【補正対象項目名】００１９
【補正方法】変更
【補正の内容】
【００１９】
また、本発明の一態様は、上記管理装置が、前記招待通知情報に対応する前記第２ゲームから前記第１ゲームへの招待が成立したことを示す招待成立情報を、前記第２ユーザの端末装置又は前記第１ゲームに対応するサーバ装置から受け取る招待成立受取部（２３７）、を備えることを特徴とする。
【手続補正１４】
【補正対象書類名】明細書
【補正対象項目名】００２０
【補正方法】変更
【補正の内容】
【００２０】
また、本発明の一態様は、管理装置の管理方法であって、第１ゲームおよび第２ゲームが実行されたことがある第１ユーザの端末装置から、当該第２ゲームで当該第１ユーザと所定の関係にあるユーザの端末装置に対して、当該第１ゲームを導入させるための招待処理を制御する制御ステップを有し、前記制御ステップが、前記第２ゲームから前記所定の関係にあるユーザを示す所定関係ユーザ情報を取得した場合に当該所定関係ユーザ情報に含まれるユーザのうち、前記第１ゲームへの招待候補となるユーザを抽出条件に基づいて抽出するステップと、前記抽出した前記第１ゲームへの招待候補となるユーザを示す招待候補ユーザ情報を、前記第１ユーザの端末装置に対して送信するステップと、前記招待候補ユーザ情報に示されるユーザのうちの第２ユーザを前記第１ゲームへ招待申請する招待申請情報を前記第１ユーザの端末装置から受け取るステップと、前記第２ユーザの端末装置に対して、前記招待申請情報に基づく招待通知情報を送信するステップと、を含むことを特徴とする管理方法である。
【手続補正１５】
【補正対象書類名】明細書
【補正対象項目名】００２１
【補正方法】変更
【補正の内容】
【００２１】
また、本発明の一態様は、第１ゲームおよび第２ゲームが実行されたことがある第１ユーザの端末装置から、当該第２ゲームで当該第１ユーザと所定の関係にあるユーザの端末装置に対して、当該第１ゲームを導入させるための招待処理を制御するコンピュータに、前記第２ゲームから前記所定の関係にあるユーザを示す所定関係ユーザ情報を取得した場合に当該所定関係ユーザ情報に含まれるユーザのうち、前記第１ゲームへの招待候補となるユーザを抽出条件に基づいて抽出するステップと、前記抽出した前記第１ゲームへの招待候補となるユーザを示す招待候補ユーザ情報を、前記第１ユーザの端末装置に対して送信するステップと、前記招待候補ユーザ情報に示されるユーザのうちの第２ユーザを前記第１ゲームへ招待申請する招待申請情報を前記第１ユーザの端末装置から受け取るステップと、前記第２ユーザの端末装置に対して、前記招待申請情報に基づく招待通知情報を送信するステップと、を実行させるためのプログラムである。